(57)【要約】【課題】光量補正に起因した発光素子の劣化を抑制して、露光ヘッドの長寿命化を実現する技術を提供する。【解決手段】発光素子と、発光素子が発光した光を結像する光学ユニットと、発光素子の光量を測定する測定部と、第１の光量および第１の光量未満の第２の光量を記憶する記憶部と、測定部が測定した光量が第２の光量以上である場合は発光素子の光量を第１の光量に設定し、測定部が測定した光量が第２の光量未満である場合は発光素子の光量を第１の光量未満に設定する設定部と、を備えた。【選択図】図１０
2011098486.tif 000002
【特許請求の範囲】
【請求項１】
発光素子と、
前記発光素子が発光した光を結像する光学ユニットと、
前記発光素子の光量を測定する測定部と、
第１の光量および前記第１の光量未満の第２の光量を記憶する記憶部と、
前記測定部が測定した光量が前記第２の光量以上である場合は前記発光素子の光量を前記第１の光量に設定し、前記測定部が測定した光量が前記第２の光量未満である場合は前記発光素子の光量を前記第１の光量未満に設定する設定部と、
を備えたことを特徴とする露光ヘッド。
【請求項２】
前記設定部は、前記測定部が測定した光量が前記第２の光量未満である場合は前記発光素子の光量を前記第２の光量に設定する請求項１に記載の露光ヘッド。
【請求項３】
前記光学ユニットは、前記発光素子が発光した光を、正立像を形成する光学系により結像する請求項１または２に記載の露光ヘッド。
【請求項４】
前記光学ユニットは、前記発光素子が射出した光を、倒立像を形成する光学系により結像する請求項１または２に記載の露光ヘッド。
【請求項５】
発光素子および前記発光素子が発光した光を結像する光学ユニットを有する露光ヘッドの前記発光素子の光量を測定する第１の工程と、
第１の光量未満の第２の光量と前記第１の工程で測定した光量とを比較した結果、測定した光量が前記第２の光量以上である場合は前記発光素子の光量を前記第１の光量に設定し、測定した光量が前記第２の光量未満である場合は前記発光素子の光量を前記第１の光量未満に設定する第２の工程と、
を備えたことを特徴とする露光ヘッドの制御方法。
【請求項６】
潜像担持体と、
発光素子および前記発光素子が発光した光を前記潜像担持体に照射する光学ユニットを有する露光ヘッドと、
前記発光素子の光量を測定する測定部と、
第１の光量および前記第１の光量未満の第２の光量を記憶する記憶部と、
前記測定部が測定した光量が前記第２の光量以上である場合は前記発光素子の光量を前記第１の光量に設定し、前記測定部が測定した光量が前記第２の光量未満である場合は前記発光素子の光量を前記第１の光量未満に設定する設定部と、
を備えたことを特徴とする画像形成装置。
【発明の詳細な説明】
【技術分野】
【０００１】
この発明は、発光素子からの光を用いて露光を行なう露光ヘッド、当該露光ヘッドの制御方法および当該露光ヘッドを用いた画像形成装置に関する。
【背景技術】
【０００２】
従来、主走査方向に並ぶ複数の発光素子を備え、各発光素子が射出する光により露光を行なう露光ヘッドが提案されている（特許文献１）。ちなみに、このような露光ヘッドでは、発光素子が発光を繰り返すうちに劣化して、その結果、発光素子の光量が低下してしまう場合があった。そこで、特許文献１に記載の露光ヘッドは、光センサーを用いて各発光素子の光量を適宜測定し、劣化により光量が低下した発光素子を検知すると、この発光素子の光量を補正している。こうして、劣化した発光素子の光量を目標とする光量にまで引き上げることができる。
【先行技術文献】
【特許文献】
【０００３】
【特許文献１】特開２００９−０３４９４３号公報
【発明の概要】
【発明が解決しようとする課題】
【０００４】
ところで、このような光量補正では、劣化した発光素子へ印加する信号のレベル（例えば、発光素子へ印加する電流の値）を上昇させることで、発光素子の光量を目標光量に維持している。しかしながら、信号レベルが上昇するほどに、発光素子の劣化が加速してしまう傾向にある。したがって、劣化した発光素子の光量を目標光量に設定しなおすことで、さらに発光素子の劣化を加速してしまい、露光ヘッドの寿命が短くなってしまうおそれがあった。
【０００５】
この発明は上記課題に鑑みてなされたものであり、光量補正に起因した発光素子の劣化を抑制して、露光ヘッドの長寿命化を実現する技術の提供を目的とする。
【課題を解決するための手段】
【０００６】
この発明にかかる露光ヘッドは、上記目的を達成するために、発光素子と、発光素子が発光した光を結像する光学ユニットと、発光素子の光量を測定する測定部と、第１の光量および第１の光量未満の第２の光量を記憶する記憶部と、測定部が測定した光量が第２の光量以上である場合は発光素子の光量を第１の光量に設定し、測定部が測定した光量が第２の光量未満である場合は発光素子の光量を第１の光量未満に設定する設定部と、を備えたことを特徴としている。
【０００７】
また、この発明にかかる露光ヘッドの制御方法は、上記目的を達成するために、発光素子および発光素子が発光した光を結像する光学ユニットを有する露光ヘッドの発光素子の光量を測定する第１の工程と、第１の光量未満の第２の光量と第１の工程で測定した光量とを比較した結果、測定した光量が第２の光量以上である場合は発光素子の光量を第１の光量に設定し、測定した光量が第２の光量未満である場合は発光素子の光量を第１の光量未満に設定する第２の工程と、を備えたことを特徴としている。
【０００８】
また、この発明にかかる画像形成装置は、上記目的を達成するために、潜像担持体と、発光素子および発光素子が発光した光を潜像担持体に照射する光学ユニットを有する露光ヘッドと、発光素子の光量を測定する測定部と、第１の光量および第１の光量未満の第２の光量を記憶する記憶部と、測定部が測定した光量が第２の光量以上である場合は発光素子の光量を第１の光量に設定し、測定部が測定した光量が第２の光量未満である場合は発光素子の光量を第１の光量未満に設定する設定部と、を備えたことを特徴としている。
【０００９】
このように構成された発明（露光ヘッド、露光ヘッドの制御方法、画像形成装置）は、発光素子の設定光量を、発光素子の光量を測定した結果に応じて異ならせている。具体的には、測定光量が第２の光量以上である場合は発光素子の光量を第１の光量に設定し、測定光量が第２の光量未満である場合は発光素子の光量を第１の光量未満に設定する。ここで、第１の光量と第２の光量との大小関係は、第１の光量＞第２の光量である。このように発光素子の光量を設定する理由は次のとおりである。つまり、測定光量が第２の光量以上である場合は、発光素子は大きい光量で発光しており、当該発光素子の劣化はそれほど進んでいないと判断できるため、発光素子の光量を第１の光量に設定する（換言すれば、第１の光量にまで引き上げる）。一方、測定光量が第２の光量未満である場合は、発光素子の光量はそれほど大きくなく、当該発光素子の劣化は相当程度進んでいると判断できる。そして、露光ヘッドの長寿命化という観点からは、このような場合には、当該発光素子のさらなる劣化を極力抑えることが適当である。そこで、この発明は、測定光量が第２の光量未満である場合は、発光素子の光量を第１の光量未満に設定する。このように、発光素子の設定光量を第１の光量未満にすることで、発光素子のさらなる劣化を抑制して、露光ヘッドの長寿命化を図ることができる。
【００１０】
この際、設定部は、測定部が測定した光量が第２の光量未満である場合は発光素子の光量を第２の光量に設定するように露光ヘッドを構成しても良い。このような構成は、既に劣化が進んだ発光素子のさらなる劣化をより確実に抑制することができ、露光ヘッドの長寿命化を図るにあたって有利となる。
【００１１】
ちなみに、光学ユニットの構成としては様々なものを採用することができ、光学ユニットは、発光素子が発光した光を、正立像を形成する光学系により結像するものであっても良く、あるいは、光学ユニットは、発光素子が射出した光を、倒立像を形成する光学系により結像するものであっても良い。
【図面の簡単な説明】
【００１２】
【図１】本発明にかかる画像形成装置の一実施形態を示す図。
【図２】図１の画像形成装置の電気的構成を示すブロック図。
【図３】ラインヘッドの構造を示す斜視図。
【図４】ラインヘッドの構造を示す部分断面図。
【図５】ヘッド基板に設けられた発光素子と光センサーとの配置を示す平面図。
【図６】感光体ドラム表面に形成されるスポットの配置を示す平面図。
【図７】Ｙラインヘッド制御回路の構成を示すブロック図。
【図８】ラインヘッド出荷時に求められるパラメーターを表として例示した図。
【図９】光量補正の一例を示す図。
【図１０】発光制御回路が実行する動作を示すフローチャート。
【図１１】各発光素子の光量をグラフで示した図。
【図１２】各発光素子の光量をグラフで示した図。
【図１３】各発光素子の光量をグラフで示した図。
【発明を実施するための形態】
【００１３】
第１実施形態
図１は本発明を適用可能なラインヘッドを備えた画像形成装置の一実施形態を示す図である。図２は図１の画像形成装置の電気的構成を示すブロック図である。この装置は、イエロー（Ｙ）、マゼンタ（Ｍ）、シアン（Ｃ）およびブラック（Ｋ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。この画像形成装置では、ホストコンピュータなどの外部装置から画像形成指令がＣＰＵやメモリーなどを有するメインコントローラーＭＣに与えられると、このメインコントローラーＭＣがエンジンコントローラーＥＣに制御信号を与え、これに基づき、エンジンコントローラーＥＣがエンジン部ＥＧおよびヘッドコントローラーＨＣなど装置各部を制御して所定の画像形成動作を実行し、複写紙、転写紙、用紙およびＯＨＰ用透明シートなどの記録材たるシートに画像形成指令に対応する画像を形成する。
【００１４】
この実施形態にかかる画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット２、転写ベルトユニット８および給紙ユニット７もハウジング本体３内に配設されている。また、図１においてハウジング本体３内右側には、二次転写ユニット１２、定着ユニット１３およびシート案内部材１５が配設されている。なお、給紙ユニット７は、ハウジング本体３に対して着脱自在に構成されている。そして、該給紙ユニット７および転写ベルトユニット８については、それぞれ取り外して修理または交換を行うことが可能な構成になっている。
【００１５】
画像形成ユニット２は、複数の異なる色の画像を形成する４個の画像形成ステーション２Ｙ（イエロー用）、２Ｍ（マゼンタ用）、２Ｃ（シアン用）および２Ｋ（ブラック用）を備えている。なお、図１においては、画像形成ユニット２の各画像形成ステーションは構成が互いに同一のため、図示の便宜上一部の画像形成ステーションのみに符号を付し、他の画像形成ステーションについては符号を省略する。
【００１６】
各画像形成ステーション２Ｙ、２Ｍ、２Ｃおよび２Ｋには、それぞれの色のトナー像がその表面に形成される感光体ドラム２１が設けられている。各感光体ドラム２１は、その回転軸が主走査方向ＭＤ（図１の紙面に対して垂直な方向）に平行もしくは略平行となるように配置されている。また、各感光体ドラム２１はそれぞれ専用の駆動モーターに接続され図中矢印Ｄ21の方向に所定速度で回転駆動される。これにより、感光体ドラム２１表面が、主走査方向ＭＤに直交もしくは略直交する副走査方向ＳＤに搬送される。また、感光体ドラム２１の周囲には、その回転方向に沿って帯電部２３、ラインヘッド２９、現像部２５および感光体クリーナ２７が配設されている。そして、これらの機能部によって帯電動作、潜像形成動作およびトナー現像動作が実行される。カラーモード実行時は、全ての画像形成ステーション２Ｙ、２Ｍ、２Ｃおよび２Ｋで形成されたトナー像を転写ベルトユニット８に設けた転写ベルト８１に重ね合わせてカラー画像を形成する。また、モノクロモード実行時は、画像形成ステーション２Ｋのみを動作させてブラック単色画像を形成する。
【００１７】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を所定の表面電位に帯電させる。
【００１８】
ラインヘッド２９は、その長手方向ＬＧＤが主走査方向ＭＤに平行もしくは略平行となるように、かつ、その幅方向ＬＴＤが副走査方向ＳＤに平行もしくは略平行となるように配置されている。ラインヘッド２９は、長手方向ＬＧＤに配列された複数の発光素子を備えており、感光体ドラム２１に対向配置されている。そして、これらの発光素子から、帯電部２３により帯電された感光体ドラム２１の表面に向けて光を照射して該表面に静電潜像を形成する。
【００１９】
図３はラインヘッドの構造を示す斜視図である。同図では、ヘッド基板２９４の裏面側の構成が記載されており、表面側の構成は省略されている。なお、ヘッド基板２９４が有する２面のうち、同図上側の面を表面とし、同図下側の面を裏面とする。図４は、ラインヘッドの構造を示す部分断面図である。図５は、ヘッド基板に設けられた発光素子と光センサーとの配置を示す平面図である。図３および図４では、発光素子には符号Ｅが付されている一方、図５では、主走査方向ＭＤに順に発光素子Ｅをナンバリングするために、符号Ｅに付された括弧内に数値n-9、n-8、…、n-1、n、n+1、…が記されている。ここで、ｎは正の整数である。また、図３および図４では、主走査方向ＭＤおよび副走査方向ＳＤに直交する方向であって発光素子Ｅの光の射出方向（換言すれば、ラインヘッド２９から感光体ドラム２１に向かう方向）に、光軸方向Ｄoaが付されている。
【００２０】
ラインヘッド２９は、その本体２９１の内部にガラス基板であるヘッド基板２９４を備えており、このガラス基板２９４の裏面２９４−tには、複数の発光素子Ｅが主走査方向ＭＤ（長手方向ＬＧＤ）に２行千鳥で並んでいる。各発光素子Ｅはいわゆるボトムエミッション型の有機ＥＬ（Electro-Luminescence）素子であり、駆動電流の印加を受けて光を射出する。
【００２１】
また、ヘッド基板２９４の裏面２９４−tには、複数の光センサーＳＣが設けられている。この光センサーＳＣは、劣化による発光素子Ｅの光量変化を検出するために設けられており、この光センサーＳＣの検出結果に基づいて発光素子Ｅに印加する駆動電流の電流値が補正される。
【００２２】
さらに、ヘッド基板裏面２９４−tに設けられた発光素子Ｅに対して、屈折率分布型ロッドレンズアレイＲＬＡ（以下、レンズアレイＲＬＡと略称する）がヘッド基板表面２９４−h側から対向する。したがって、発光素子Ｅの発光面から射出した光はヘッド基板２９４を透過して、レンズアレイＲＬＡに入射する。こうして発光素子Ｅから射出した光が、レンズアレイＲＬＡにより正立等倍で結像されて、感光体ドラム２１表面にスポットＳＰが照射される（図６）。
【００２３】
図６は、感光体ドラム表面に形成されるスポットの配置を示す平面図である。同図では、各スポットＳＰがいずれの発光素子Ｅに形成されたものであるかを示すため、スポットＳＰに付された括弧内に当該スポットＳＰを形成した発光素子Ｅのナンバーn-9、n-8、…、n-1、n、n+1、…が記されている。図５および図６から判るように、主走査方向ＭＤにおける位置が隣り合う発光素子Ｅ、Ｅは、主走査方向ＭＤにおける位置が隣り合うようにスポットＳＰ、ＳＰを形成する。例示すると、主走査方向ＭＤにおける位置が隣り合う発光素子Ｅ(n-1)、Ｅ(n)それぞれが形成するスポットＳＰ(n-1)、ＳＰ(n)は、主走査方向ＭＤにおける位置が互いに隣り合う。こうして隣り合うスポットＳＰ、ＳＰは、主走査方向ＭＤに隣接する範囲を露光する。そして、感光体ドラム２１表面のうちスポットＳＰにより露光された範囲が感光して、静電潜像が感光体ドラム２１の表面に形成される。
【００２４】
図１に戻って装置構成の説明を続ける。現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してその表面に形成された静電潜像が顕像化される。
【００２５】
現像位置において顕在化されたトナー像は、感光体ドラム２１の回転方向Ｄ21に搬送された後、転写ベルト８１と各感光体ドラム２１が当接する一次転写位置ＴＲ1において転写ベルト８１に一次転写される。
【００２６】
また、感光体ドラム２１の回転方向Ｄ21の一次転写位置ＴＲ1の下流側で且つ帯電部２３の上流側に、感光体ドラム２１の表面に当接して感光体クリーナ２７が設けられている。この感光体クリーナ２７は、感光体ドラムの表面に当接することで一次転写後に感光体ドラム２１の表面に残留するトナーをクリーニング除去する。
【００２７】
転写ベルトユニット８は、駆動ローラー８２と、図１において駆動ローラー８２の左側に配設される従動ローラー８３（ブレード対向ローラー）と、これらのローラーに張架され駆動ローラー８２の回転により図示矢印Ｄ81の方向（搬送方向）へ循環駆動される転写ベルト８１とを備えている。また、転写ベルトユニット８は、転写ベルト８１の内側に、カートリッジ装着時において各画像形成ステーション２Ｙ、２Ｍ、２Ｃおよび２Ｋが有する感光体ドラム２１各々に対して一対一で対向配置される、４個の一次転写ローラー８５Ｙ、８５Ｍ、８５Ｃおよび８５Ｋを備えている。これらの一次転写ローラーは、それぞれ一次転写バイアス発生部（図示省略）と電気的に接続される。
【００２８】
カラーモード実行時は、図１および図２に示すように全ての一次転写ローラー８５Ｙ、８５Ｍ、８５Ｃおよび８５Ｋを画像形成ステーション２Ｙ、２Ｍ、２Ｃおよび２Ｋ側に位置決めすることで、転写ベルト８１を画像形成ステーション２Ｙ、２Ｍ、２Ｃおよび２Ｋそれぞれが有する感光体ドラム２１に押し遣り当接させて、各感光体ドラム２１と転写ベルト８１との間に一次転写位置ＴＲ1を形成する。そして、適当なタイミングで一次転写バイアス発生部から一次転写ローラー８５Ｙ等に一次転写バイアスを印加することで、各感光体ドラム２１の表面上に形成されたトナー像を、それぞれに対応する一次転写位置ＴＲ1において転写ベルト８１表面に転写する。すなわち、カラーモードにおいては、各色の単色トナー像が転写ベルト８１上において互いに重ね合わされてカラー画像が形成される。
【００２９】
さらに、転写ベルトユニット８は、ブラック用一次転写ローラー８５Ｋの下流側で且つ駆動ローラー８２の上流側に配設された下流ガイドローラー８６を備える。この下流ガイドローラー８６は、一次転写ローラー８５Ｋが画像形成ステーション２Ｋの感光体ドラム２１に当接して形成する一次転写位置ＴＲ1での一次転写ローラー８５Ｋとブラック用感光体ドラム２１（Ｋ）との共通接線上において、転写ベルト８１に当接するように構成されている。
【００３０】
給紙ユニット７は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０によって給紙タイミングが調整された後、シート案内部材１５に沿って、駆動ローラー８２と二次転写ローラー１２１とが当接する二次転写位置ＴＲ2に給紙される。
【００３１】
二次転写ローラー１２１は、転写ベルト８１に対して離当接自在に設けられ、二次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が二次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００３２】
前記した駆動ローラー８２は、転写ベルト８１を図示矢印Ｄ81の方向に循環駆動するとともに、二次転写ローラー１２１のバックアップローラーとしての機能も兼ねている。駆動ローラー８２の周面には、厚さ３ｍｍ程度、体積抵抗率が１０００ｋΩ・ｃｍ以下のゴム層が形成されており、金属製の軸を介して接地することにより、図示を省略する二次転写バイアス発生部から二次転写ローラー１２１を介して供給される二次転写バイアスの導電経路としている。このように駆動ローラー８２に高摩擦かつ衝撃吸収性を有するゴム層を設けることにより、二次転写位置ＴＲ2へシートが進入する際の衝撃が転写ベルト８１に伝達されることに起因する画質の劣化を防止することができる。
【００３３】
また、この装置では、ブレード対向ローラー８３に対向してクリーナ部７１が配設されている。クリーナ部７１は、クリーナブレード７１１と廃トナーボックス７１３とを有する。クリーナブレード７１１は、その先端部を転写ベルト８１を介してブレード対向ローラー８３に当接することで、二次転写後に転写ベルト８１に残留するトナーや紙粉等の異物を除去する。そして、このように除去された異物は、廃トナーボックス７１３に回収される。また、クリーナブレード７１１及び廃トナーボックス７１３は、ブレード対向ローラー８３と一体的に構成されている。
【００３４】
なお、この実施形態においては、各色の画像形成ステーション２Ｙ、２Ｍ、２Ｃおよび２Ｋのそれぞれにおいて、感光体ドラム２１、帯電部２３、現像部２５および感光体クリーナ２７が一体的にカートリッジＣＲ（図２)としてユニット化されている。そして、各色Ｙ，Ｍ，Ｃ，ＫのカートリッジＣＲが装置本体に対し着脱可能に構成されている。また、カートリッジＣＲには、該カートリッジＣＲに関する情報を記憶するための不揮発性メモリーがそれぞれ設けられている。そして、エンジンコントローラーＥＣと各カートリッジＣＲとの間で無線通信が行われる。こうすることで、各カートリッジＣＲに関する情報がエンジンコントローラーＥＣに伝達されるとともに、各メモリー内の情報が更新記憶される。これらの情報に基づき各カートリッジＣＲの使用履歴や消耗品の寿命が管理される。
【００３５】
以上が、画像形成装置の概略構成である。続いて、本実施形態で実行される、発光素子Ｅの発光制御について説明する。この発光制御は、ヘッドコントローラーＨＣ内部に設けられたラインヘッド制御回路ＣＣにより実行される（図２）。そこで、以下では、このラインヘッド制御回路ＣＣの構成および動作について説明する。なお、ラインヘッド制御回路ＣＣは各色Ｙ，Ｍ，Ｃ，Ｋ毎に設けられているが、同回路ＣＣの構成および動作は各色Ｙ，Ｍ，Ｃ，Ｋで共通しているので、ここではイエロー（Ｙ）用のＹラインヘッド制御回路ＣＣを例にとって説明する。
【００３６】
図７は、Ｙラインヘッド制御回路の構成を示すブロック図である。Ｙラインヘッド制御回路ＣＣには、発光制御回路ＣＣ1と光量補正データ記憶部ＣＣ2とが設けられている。発光制御回路ＣＣ1は、メインコントローラーＭＣから送られてきたイエロー（Ｙ）用のビデオデータＶＤ−Ｙ等に基づいて、発光素子Ｅの発光期間を示すデータＴＤ−Ｙと、発光素子Ｅに供給する駆動電流の電流値ＩＤ−Ｙとを、各発光素子Ｅ(1)、…、Ｅ(n-1)、Ｅ(n)、Ｅ(n+1)、…（以下、各発光素子Ｅ(n)等と略称）毎に生成する。そして、発光制御回路ＣＣ1は、電流値ＩＤ−Ｙの駆動電流をデータＴＤ−Ｙが示す期間だけ各発光素子Ｅ(n)等に印加する。これにより、各発光素子Ｅ(n)等は、電流値ＩＤ−Ｙに応じた光量の光をデータＴＤ−Ｙが示す期間だけ射出する。
【００３７】
ただし、この際、発光制御回路ＣＣ1は、各発光素子Ｅ(n)等を略均一な光量で発光させるために、光量補正データ記憶部ＣＣ2に記憶されているデータを参照して、駆動電流の電流値ＩＤ−Ｙを生成する。つまり、この光量補正データ記憶部ＣＣ2には、各発光素子Ｅ(n)等を略均一な光量で発光させるために求められた電流値ＩＤ−Ｙが８bitのデジタル信号として記憶されている。このデジタル信号である電流値ＩＤ−Ｙは、ラインヘッド２９の出荷時に予め求められて光量補正データ記憶部ＣＣ2に記憶される他、ラインヘッド２９の出荷後において適宜更新される。この点について詳述すると次のとおりである。
【００３８】
ラインヘッド２９の出荷時では、この光量補正データ記憶部ＣＣ2には、８bitのデジタル信号である初期補正信号値Ｃi(n)が、電流値ＩＤ−Ｙとして記憶される。この初期補正信号値Ｃi(n)は、ラインヘッド２９の工場出荷時に予め求められて、光量補正データ記憶部ＣＣ2に記憶される。
【００３９】
図８は、ラインヘッド出荷時に求められるパラメーターを表として例示した図である。同図の表では、初期信号値Ｓi(n)、初期光量Ｌsi(n)、初期補正信号値Ｃi(n)および初期補正光量Ｌi(n)が、発光素子Ｅ(n)等それぞれに対して記されている。初期信号値Ｓi(n)および初期補正信号値Ｃi(n)はいずれも発光素子Ｅ(n)に印加する駆動電流の電流値ＩＤ−Ｙを示す８bitのデジタル値であり、値Ｓi(n)、Ｃi(n)に所定の比例定数を乗じた値が実際に発光素子Ｅ(n)に印加される駆動電流値となる。また、初期光量Ｌsi(n)は、初期信号値Ｓi(n)が示す電流値で発光素子Ｅ(n)を発光させた際の光量であり、初期補正光量Ｌi(n)は、初期補正信号値Ｃi(n)が示す電流値で発光素子Ｅ(n)を発光させた際の光量である。
【００４０】
工場出荷の際にまず、ラインヘッド２９は光量測定用ジグに取り付けられる。光量測定用ジグは、発光素子Ｅから射出された光の光量を当該発光素子Ｅに対向する位置で検出できる光量検出器を備えており、この光量検出器を用いて各発光素子Ｅの射出光量を検出する。つまり、この光量測定用ジグは、主走査方向ＭＤに並ぶ各発光素子Ｅ(n)等を順番に発光させて、各発光素子Ｅ(1)、Ｅ(2)、…、Ｅ(n)、…の初期光量Ｌsi(1)、Ｌsi(2)、…、Ｌsi(n)、…を光量検出器で検出して記憶する。この際、光量測定用ジグは、各発光素子Ｅ(n)等に対して同じレベル１２７の初期信号値Ｓi(n)の駆動電流を与える。同表から判るように、同じレベルの信号Ｓi(n)を与えているにも拘わらず、各発光素子Ｅ(n)等の初期光量Ｌsi(n)はばらついている。これは、各発光素子Ｅ(n)等の製造ばらつきに起因するものである。そこで、かかる光量ばらつきを補正するために、初期信号値Ｓi(n)と初期光量Ｌsi(n)とから初期補正信号値Ｃi(n)が求められて、光量補正データ記憶部ＣＣ2に記憶される。同表から判るように、この初期補正信号値Ｃi(n)で発光素子Ｅ(n)を駆動することで、各発光素子Ｅ(n)等の光量Ｌi(n)を約１．０００に揃えることができる。
【００４１】
こうして、以後のラインヘッド２９の露光動作では、光量補正データ記憶部ＣＣ2に記憶された初期補正信号値Ｃi(n)に基づいて各発光素子Ｅ(n)等を駆動することで、各発光素子Ｅ(n)等の光量を略均一に揃えることができる。ただし、上述したとおり、光量補正データ記憶部ＣＣ2に記憶された電流値ＩＤ−Ｙは、ラインヘッド２９の出荷後において適宜更新される。この理由は次のとおりである。
【００４２】
つまり、ラインヘッド２９の出荷時に各発光素子Ｅ(n)等の光量を略均一にしたとしても、ラインヘッド２９の出荷後の露光動作で発光を繰り返すうちに各発光素子Ｅ(n)等は劣化して、各発光素子Ｅ(n)等の光量が低下する場合がある。また、形成する画像によっては、各発光素子Ｅ(n)等の発光頻度も異なり、例えば、画占率の高い部分に対応する発光素子Ｅは、画占率の低い部分に対応する発光素子Ｅよりも劣化の程度が大きい。そこで、発光制御回路ＣＣ1は、画像形成装置の電源投入時や画像形成の合間等のタイミングで、各発光素子Ｅ(n)等の光量補正を行って、光量補正データ記憶部ＣＣ2に記憶された電流値ＩＤ−Ｙを更新する。この光量補正では、順次発光する各発光素子Ｅ(n)等の光量を光センサーＳＣが検出し、この検出光量に基づいて、発光制御回路ＣＣ1が補正信号値Ｃc(n)を更新後の電流値ＩＤ−Ｙとして求めて、光量補正データ記憶部ＣＣ2に記憶する。
【００４３】
なお、光センサーＳＣは各発光素子Ｅ(n)等から離れて配置されており、各発光素子Ｅ(n)等からヘッド基板２９４の内部を進行してきた光を検出するものである。つまり、光センサーＳＣは、上述の光量測定用ジグが備える光量検出器のように、各発光素子Ｅ(n)等の光量を当該発光素子Ｅ(n)等の対向位置で検出するものではない。そのため、光量補正において、光センサーＳＣの検出光量そのものを各発光素子Ｅ(n)等の光量として取り扱うと、光量補正を十分な精度で行えないおそれがあった。
【００４４】
そこで、光量補正データ記憶部ＣＣ2には、ラインヘッド２９出荷時での光センサーＳＣの検出光量が、初期検出光量Ｐi(n)として記憶されている。具体的に説明すると、ラインヘッド２９の工場出荷時において、上述の初期補正信号値Ｃi(n)が求められると、初期補正信号値Ｃi(n)に対応する電流値の駆動電流が各発光素子Ｅ(n)等に順次与えられる。そして、順次発光する各発光素子Ｅ(n)等からの光を光センサーＳＣが検出した検出光量Ｐi(1)、Ｐi(2)、…、Ｐi(n)、…が、光量補正データ記憶部ＣＣ2に記憶される。これにより、ラインヘッド２９の出荷後の光量補正においては、当該光量補正での光センサーＳＣによる各発光素子Ｅ(n)等の検出光量に対して、初期補正光量Ｌi(n)と初期検出光量Ｐi(n)の比を乗ずることで、ラインヘッド２９の出荷後における各発光素子Ｅ(n)等の光量を高精度に測定することができる。以上を踏まえて、光量補正の詳細について説明する。
【００４５】
図９は、光量補正の一例を示す図である。同図では、発光素子Ｅ(n)へ印加する電流値を示すデジタル信号の値を横軸とし、発光素子Ｅ(n)の測定光量を縦軸として、発光素子Ｅ(n)へ印加する駆動電流値と発光素子Ｅ(n)の光量との関係を示す光量特性直線ＬＬ0、ＬＬ1が示されている。ここで、光量特性直線ＬＬ0はラインヘッド２９出荷時の発光素子Ｅ(n)のそれであり、光量特性直線ＬＬ1は、劣化によって変化した後の発光素子Ｅ(n)のそれである。
【００４６】
光量補正では、まず、２つの異なるデジタル信号値Ｃl、Ｃhに対応する駆動電流が、発光素子Ｅ(n)に順番に印加されるとともに、このときの光センサーＳＣの検出光量Ｐl(n)、Ｐh(n)が求められる。そして、発光制御回路ＣＣ1は、この検出光量Ｐl(n)に対して初期補正光量Ｌi(n)と初期検出光量Ｐi(n)の比を乗じて、発光素子Ｅ(n)の光量を求める。すなわち、発光素子Ｅ(n)の光量Ｌl(n)は、Ｐl(n)×Ｌi(n)／Ｐi(n)と求められる。また、同様にして、デジタル信号値Ｃhに対する発光素子Ｅ(n)の実際の光量Ｌh(n)は、Ｐh(n)×Ｌi(n)／Ｐi(n)と求められる。そして、デジタル信号値Ｃl、Ｃhと発光素子Ｅ(n)の光量Ｌl(n)、Ｌh(n)とから、光量特性直線ＬＬ1の傾き（Ｌh(n)−Ｌl(n)）／（Ｃh−Ｃl）が求められる。このように、光量特性直線ＬＬ1の傾きを求めて、光量特性直線ＬＬ1を一次関数として近似することで、劣化した発光素子Ｅ(n)を初期補正光量Ｌi(n)で発光させるためのデジタル信号値Ｃc(n)を求めることができる。なお、このデジタル信号値Ｃc(n)は、各発光素子Ｅ(n)等毎に求められる。
【００４７】
ところで、このような光量補正は、劣化した発光素子Ｅ(n)へ印加する信号のレベル（つまり、発光素子へ印加する電流の値ＩＤ−Ｙ）を上昇させることで、発光素子Ｅ(n)の光量を目標光量に維持するものである。しかしながら、信号レベルが上昇するほどに、発光素子Ｅ(n)の劣化が加速してしまう傾向にある。したがって、劣化した発光素子Ｅ(n)の光量を目標光量に設定しなおすことで、さらに発光素子Ｅ(n)の劣化を加速してしまい、ラインヘッド２９の寿命が短くなってしまうおそれがあった。かかる問題に対応するために、本実施形態の発光制御回路ＣＣ1は、次のようなフローを経て光量補正を行う。
【００４８】
図１０は、発光制御回路が実行する動作を示すフローチャートである。図１１、図１２および図１３は、いずれも各発光素子の光量をグラフで示した図であり、これらのグラフでは横軸に発光素子に付されたナンバー（発光素子番号）がとられ、縦軸に光量がとられている。より具体的には、図１１は、初期状態（つまり、ラインヘッド２９による露光の実行回数が少なく発光素子Ｅ(n)の劣化が進んでいない状態）での各発光素子Ｅ(n)等の光量を示しており、図１２は、初期状態から露光動作を繰り返し実行したために劣化が進んだ各発光素子Ｅ(n)等の光量を示しており、図１３は、劣化が進んで図１２の状態にあった各発光素子Ｅ(n)等に対して光量補正を行った直後の各発光素子Ｅ(n)等の光量を示している。
【００４９】
なお、以下の図１１〜図１３を用いた説明では、発光素子の光量が所定光量（例えば、目標光量Ｌtや許容光量Ｌa）に一致するという表現を使用する。ただし、現実には各発光素子Ｅ(n)等の光量を所定光量と完全に等しくすることは困難である。したがって、本実施形態では、発光素子の光量が所定光量の±０．５％〜±２．０％以内であれば、発光素子の光量が当該所定光量に一致しているとする。
【００５０】
図１１に示す初期状態では、初期補正信号値Ｃi(n)（図８）が示す電流値の駆動電流の供給を受けて、各発光素子Ｅ(n)等の光量は目標光量Ｌt（＝初期補正光量Ｌi(n)）に一致している。しかしながら、ラインヘッド２９が露光を繰り返すうちに各発光素子Ｅ(n)等が劣化すると、初期補正信号値Ｃi(n)が示す電流値の駆動電流の供給を受けても、もはや目標光量Ｌtの光量を維持できない発光素子が現れる。その結果、図１２に示すように、各発光素子Ｅ(n)の光量がばらついてしまう。
【００５１】
そこで、ステップＳ１０１では、発光制御回路ＣＣ1は、図１２の状態にある各発光素子Ｅ(n)の光量Ｌd(n)を測定する。なお、この光量補正の具体的内容は上述のそれと同じである。続くステップＳ１０２では、発光制御回路ＣＣ1は、各発光素子Ｅ(n)等の光量が許容光量Ｌa以上であるか否かを判断する。この許容光量Ｌaは、要求される画像品質を実現するために各発光素子Ｅ(n)等に求められる下限の光量として発光制御回路ＣＣ1に記憶されており、目標光量Ｌt未満（例えば、目標光量Ｌtの９０％）に設定される。なお、許容光量Ｌaは画像の解像度等に応じて適宜変更可能である。
【００５２】
そして、発光制御回路ＣＣ1は、ステップＳ１０２で「ＹＥＳ」と判断した発光素子Ｅ(n)、すなわち許容光量Ｌa以上の光量Ｌd(n）を有する発光素子Ｅ(n)については、光量を目標光量Ｌtに設定する（ステップＳ１０３）。具体的には、図９を用いた説明と同様にして、目標光量Ｌtで発光素子Ｅ(n)を発光させるためのデジタル信号値Ｃc(n)が求められて、以後の露光動作では当該デジタル信号値Ｃc(n)が示す電流値の駆動電流が発光素子Ｅ(n)に供給される。具体的に例示すると図１２、図１３では、測定光量が許容光量Ｌa以上でかつ目標光量Ｌt未満であった発光素子Ｅ(k-1)、Ｅ(k+1)の光量（図１２）が、目標光量Ｌtに設定される（図１３）。なお、この目標光量Ｌtは、発光制御回路ＣＣ1に予め記憶されている。
【００５３】
一方、発光制御回路ＣＣ1は、ステップＳ１０２で「ＮＯ」と判断した発光素子Ｅ(n)、すなわち許容光量Ｌa未満の光量Ｌd(n）を有する発光素子Ｅ(n)については、光量を許容光量Ｌaに設定する（ステップＳ１０４）。具体的には、図９を用いた説明と同様にして、許容光量Ｌaで発光素子Ｅ(n)を発光させるためのデジタル信号値Ｃc(n)が求められて、以後の露光動作では当該デジタル信号値Ｃc(n)が示す電流値の駆動電流が発光素子Ｅ(n)に供給される。具体的に例示すると図１２、図１３では、測定光量が許容光量Ｌa未満であった発光素子Ｅ(k)の光量（図１２）が、許容光量Ｌaに設定される（図１３）。
【００５４】
以上のように本実施形態では、各発光素子Ｅ(n)等の設定光量を、各発光素子Ｅ(n)等の光量Ｌd(n)を測定した結果に応じて異ならせている。具体的には、測定光量Ｌd(n)が許容光量Ｌa以上である場合は発光素子Ｅ(n)の光量を目標光量Ｌtに設定し、測定光量Ｌd(n)が許容光量Ｌa未満である場合は発光素子Ｅ(n)の光量を目標光量Ｌt未満に設定する。このように発光素子Ｅ(n)の光量を設定する理由は次のとおりである。つまり、測定光量Ｌd(n)が許容光量Ｌa以上である場合は、発光素子Ｅ(n)は大きい光量で発光しており、当該発光素子Ｅ(n)の劣化はそれほど進んでいないと判断できるため、発光素子Ｅ(n)の光量を目標光量Ｌtに設定する（換言すれば、目標光量Ｌtにまで引き上げる）。一方、測定光量Ｌd(n)が許容光量Ｌa未満である場合は、発光素子Ｅ(n)の光量はそれほど大きくなく、当該発光素子Ｅ(n)の劣化は相当程度進んでいると判断できる。そして、ラインヘッド２９の長寿命化という観点からは、このような場合には、当該発光素子Ｅ(n)のさらなる劣化を極力抑えることが適当である。そこで、この実施形態は、測定光量Ｌd(n)が許容光量Ｌa未満である場合は、発光素子Ｅ(n)の光量を目標光量Ｌt未満に設定する。このように、発光素子Ｅ(n)の設定光量を目標光量Ｌt未満にすることで、発光素子Ｅ(n)のさらなる劣化を抑制して、ラインヘッド２９の長寿命化を図ることができる。
【００５５】
特に、本実施形態では、測定光量Ｌd(n)が許容光量Ｌa未満である場合は発光素子の光量を許容光量Ｌaに設定している。このように発光素子Ｅ(n)を許容光量Ｌaで発光させることで、要求される画像品質を担保しつつ、既に劣化が進んだ発光素子Ｅ(n)のさらなる劣化をより確実に抑制して露光ヘッドの長寿命化を図ることができる。
【００５６】
その他
このように、上記実施形態では、ラインヘッド２９あるいはラインヘッド２９とヘッドコントローラーＨＣが協働して本発明の「露光ヘッド」として機能し、感光体ドラム２１が本発明の「潜像担持体」に相当する。また、ロッドレンズアレイＲＬＡが本発明の「光学ユニット」に相当し、発光制御回路ＣＣ1と光センサーＳＣとが協働して本発明の「測定部」として機能し、発光制御回路ＣＣ1が本発明の「記憶部」おより「設定部」として機能している。また、目標光量Ｌtが本発明の「第１の光量」に相当し、許容光量Ｌaが本発明の「第２の光量」に相当している。
【００５７】
なお、本発明は上記実施形態に限定されるものではなく、その趣旨を逸脱しない限りにおいて上述したものに対して種々の変更を加えることが可能である。つまり、上記実施形態では、測定光量Ｌd(n)が許容光量Ｌa未満である場合は発光素子の光量を許容光量Ｌaに設定している。しかしながら、測定光量Ｌd(n)が許容光量Ｌa未満である発光素子Ｅ(n)の設定光量は許容光量Ｌaに限られず、許容光量Ｌa以上かつ目標光量Ｌt未満の光量であっても良い。
【００５８】
また、上記実施形態のステップＳ１０２（図１０）では、発光素子Ｅ(n)の劣化の程度を求めるために、測定光量Ｌd(n)と許容光量Ｌaとを比較していた。しかしながら、許容光量Ｌaと異なる光量と測定光量Ｌd(n)とを比較して、発光素子Ｅ(n)の劣化の程度を求めても良い。
【００５９】
また、上記実施形態では、光センサーＳＣによる検出光量Ｐl(n)に初期補正光量Ｌi(n)と初期検出光量Ｐi(n)の比を乗じたものを、各発光素子Ｅ(n)等の測定光量として求めていた。しかしながら、光センサーＳＣの検出光量Ｐl(n)そのものを各発光素子Ｅ(n)等の測定光量として求めても良い。このような場合には、初期補正光量Ｌi(n)を光量補正データ記憶部ＣＣ2に記憶しておく必要が無くなるため、光量補正データ記憶部ＣＣ2を記憶容量の少ない比較的安価なメモリーにより構成することができ、ラインヘッド２９の低コスト化を図ることができる。
【００６０】
また、上記実施形態では、ラインヘッド２９には複数の光センサーＳＣが設けられているので、２個以上の光センサーＳＣの検出値の和を各発光素子Ｅ(n)の検出光量としても良い。具体的には、２個の光センサーＳＣ(m)、ＳＣ(m+1)の検出値の和を、光センサーＳＣによる発光素子Ｅ(n)の検出光量とすることができる。
【００６１】
ちなみに、上記実施形態では、光センサーＳＣによる各発光素子Ｅ(n)の光量検出は、ラインヘッド２９の出荷時とラインヘッド２９出荷後の光量補正時との２つのタイミングで行われる。この際、各光センサーＳＣの特性のばらつきを考慮すると、発光素子Ｅ(n)と、当該発光素子Ｅ(n)の光量を検出する２個以上光センサーＳＣとの組合せは、各タイミングで共通にしておくことが好適である。
【００６２】
光センサーＳＣとしては、種々の周知のものを使用することができ、例えば、シリコンのＰＮ型のフォトダイオードを用いることができる。なお、一般的にフォトダイオードは暗電流を有し、また、フォトダイオードの出力電流を電圧に変換するアンプもオフセット電圧を有するので、フォトダイオードに全く光が入射しない状態でも出力値は０とならない。この影響を除くためには、全ての発光素子Ｅ(n)が消灯した状態で、各光センサーＳＣのアンプ出力のオフセット値を予め測定しておき、光を検出した際のアンプ出力値からオフセット値を引いたものを検出値として用いれば良い。
【００６３】
また、上記実施形態では、ヘッド基板２９４の裏面２９４−tに複数の光センサーＳＣを配設していた（図４）。しかしながら、複数の光センサーＳＣの配設位置はこれに限られず、種々の変更が可能である。したがって、例えば、ヘッド基板２９４の表面２９４−hに複数の光センサーを配設しても良い。
【００６４】
また、図９を用いて説明した光量補正では、光量特性直線ＬＬ1の傾きを求めるにあたって、２つの異なるデジタル信号値Ｃl、Ｃhに対応する駆動電流が、発光素子Ｅ(n)に順番に印加されるとともに、このときの光センサーＳＣの検出光量Ｐl(n)、Ｐh(n)が求められた。しかし、この際に、デジタル信号値Ｃlに代えて初期補正信号値Ｃi(n)を印加して、光量特性直線ＬＬ1の傾きを求めても良い。この場合、劣化した発光素子Ｅ(n)を初期補正光量Ｌi(n)で発光させるためのデジタル信号値Ｃc(n)は次式、
Ｃc(n)＝Ｃi(n)＋（Ｌi(n)−Ｌl(n)）×（Ｃh−Ｃi(n)）／（Ｌh−Ｌl(n)）
で与えられる。
【００６５】
また、発光素子Ｅ(n)等の劣化前後で、光量特性直線ＬＬ1の傾きが大きく変わらないような場合は、光量特性直線ＬＬ1は一定値であるとして、光量特性直線ＬＬ1を一次関数で近似しても良い。
【００６６】
また、ラインヘッド２９による露光動作を行なう際の光量は、必ずしも、ラインヘッド２９出荷時の初期補正光量Ｌi(n)等である必要は無く、初期補正光量Ｌi(n)等とは異なる光量で各発光素子Ｅ(n)等を発光させても良い。
【００６７】
また、上記実施形態では、発光素子Ｅとしてボトムエミッション型の有機ＥＬ素子が用いられている。しかしながら、発光素子Ｅの種類はこれに限られず、例えば、トップエミッション型の有機ＥＬ素子を発光素子Ｅとして用いても良い。
【００６８】
また、本発明に用いられるラインヘッド２９としては、上述のような屈折率分布型のロッドレンズアレイＲＬＡを光学系として備えたものに限られない。よって、例えば、特開２００８−３６９３７号公報に記載のラインヘッドを用いることもできる。つまり、同文献のラインヘッドでは、凸レンズで構成されて倒立像を形成する結像光学系がアレイ状に配置されており、各結像光学系に対向して、所定個数毎に発光素子をグループ化した発光素子グループが配置されている。したがって、発光素子グループの各発光素子が射出した光は結像光学系によりスポットとして結像される。また、特開２００９−４５９１７号公報に記載のラインヘッドでは、発光素子グループに倒立像を形成する結像光学系を対向配置した構成において、発光素子の光量補正を行う技術が提案されている。そこで、かかるラインヘッドにおける発光素子の光量補正に対しても本発明を適用することができる。
【００６９】
ところで、ラインヘッド２９で使用される発光素子Ｅの光量低下は、発光素子Ｅの劣化以外に、周囲環境の温度変化や電源電圧の低下によって引き起こされる場合がある。しかしながら、温度変化や電源電圧低下に起因する発光素子Ｅの光量低下は全発光素子Ｅについて一様に起こるため、駆動電流を各発光素子Ｅについて一定だけ増加させることで、各発光素子Ｅの光量を適切に保つことができる。また、上述のとおり、温度変化や電源電圧低下による光量低下は全発光素子Ｅについて一様に起こることから、光量低下後においても全発光素子Ｅの光量は略均一に保たれるため、そもそも、この光量低下が問題にならない場合もあり、このような場合は、駆動電流を各発光素子Ｅについて一定増加させるといった補正動作を省略することもできる。
【符号の説明】
【００７０】
２１…感光体ドラム、  ２９…ラインヘッド、  ＣＣ…ラインヘッド制御回路、  ＣＣ1…発光制御回路、  ＣＣ2…光量補正データ記憶部、  Ｅ，Ｅ(n)…発光素子、  ＲＬＡ…ロッドレンズアレイ、  ＳＣ…光センサー、  ＭＤ…主走査方向、  ＳＤ…副走査方向、  ＳＰ…スポット
【図１】
2011098486.tif 000003
【図２】
2011098486.tif 000004
【図３】
2011098486.tif 000005
【図４】
2011098486.tif 000006
【図５】
2011098486.tif 000007
【図６】
2011098486.tif 000008
【図７】
2011098486.tif 000009
【図８】
2011098486.tif 000010
【図９】
2011098486.tif 000011
【図１０】
2011098486.tif 000012
【図１１】
2011098486.tif 000013
【図１２】
2011098486.tif 000014
【図１３】
2011098486.tif 000015